(57)【要約】本発明は、光波を伝達する集積構造体に関するものであり、多数の光学マイクロガイド１１と、結合面を有する多数の切欠き部１２とを備えており、結合面を通して各光学マイクロガイドが現れている。上記光ファイバーの端面と上記光学マイクロガイドの上記結合面とが光学結合するように、光ファイバーの端部が各々上記切欠き部に配置され固定されている。上記切欠き部４の上記結合面７は、上記集積面に対して直角に延びており、光ファイバー６の端部５の及び／又は上記光マイクロガイド３の長手方向に対して傾いており、また、並んでいる。上記光ファイバー６の上記端面８は、上記切欠き部４の上記結合面７に対して平行に延びており、また、並んでいる。
2004522196.tif 000002
【特許請求の範囲】
【請求項１】
集積構造体の光波伝達装置であって、
集積構造体が、多数の光学マイクロガイド（１１）及び多数の切欠き部（１２）を備えており、多数の光学マイクロガイド（１１）は、集積面中に存在しており、その端部が互いにそばに位置しており且つ略平行であり、多数の切欠き部（１２）は、上記光学マイクロガイドの各上記端部が現れてくる結合面を有しており、且つ、上記集積面に対して直角に存在しており、
光ファイバーを備えており、光ファイバーは、それらの端面を上記光学マイクロガイドの上記結合面に光学結合させるように、それらの端部が、それぞれ上記切欠き部内に位置して固定され、且つ、上記構造体の集積面に対して平行に存在しており、
上記切欠き部（４）の上記結合面（７）が、上記集積面に対して直角に存在しており、また、光ファイバー（６）の端部（５）の及び／又は上記光学マイクロガイド（３）の長手方向に対して傾斜しており、更に、並んでおり、
上記光ファイバー（６）の上記端面（８）が、上記切欠き部（４）の上記結合面（７）に対して平行に存在しており、また、並んでいる、ことを特徴とする光波伝達装置。
【請求項２】
光ファイバー（６）の端部（５）の長手方向が、上記光学マイクロガイド（３）の上記端部の長手方向と、略一致している、請求項１記載の光波伝達装置。
【請求項３】
上記光ファイバー（１４）が、シート（１５）の形で、集まっている、請求項１又は２のいずれかに記載の光波伝達装置。
【発明の詳細な説明】
【０００１】
本発明は、少なくとも１つの光ファイバーが光学結合する集積構造体を有する光波伝達装置に関するものである。
【０００２】
光ファイバーの端を斜めに切断すること、及び、集積構造体の一方の縁に斜面を作ることは、知られている。該構造体では、集積光学マイクロガイドが横方向に通っている。この集積マイクロガイドの端は斜面となっており、該斜面は一般に研磨された平面となっている。
【０００３】
光ファイバーの斜端を集積構造体の斜面に配置すると、光ファイバーと集積光学マイクロガイドとの間の光学界面は、それ故に、傾斜する。
【０００４】
そのような配置は、光ファイバーと集積光学マイクロガイドとの間の界面で発生しやすい寄生反射を、防止又は制限する。文献：ＥＰ−Ａ−０５２７６０４及びＷＯ−Ａ−９６／０７１１８に、そのような構成が記載されている。
【０００５】
上述の配置を適用するにおいて、平面プラスチックリボン中に集められている平行な光ファイバーのシートの端を、斜角に、切断及び研磨することが、既に提案されている。端面は、リボンの面に対して傾斜している。また、その中を集積光学マイクロガイドが横方向に通っている集積構造体の、１つの縁に、これらの集積マイクロガイドの端が斜面であるような方法で、研磨された斜面を作ることも、既に提案されている。そして、光ファイバーのシートの斜端は、光学マイクロガイドを光ファイバーに光学結合させるよう、集積構造体の研磨された斜面に対して正確に置かれている。
【０００６】
上記配置においては、集積光学マイクロガイドに対して光ファイバーを位置合わせするのが困難である。何故なら、光ファイバーの傾斜端が、集積構造体の斜端の表面に沿って滑るからである。
【０００７】
更に、そのような配置は、光ファイバーと光学マイクロガイドとの間の界面が集積構造体の縁から程遠く離れていることが望まれる場合には、適用できない。
【０００８】
本発明の目的は、特に、この欠点を改善することであり、本発明の主題は、以下の構成を含むことができる集積構造体の光波伝達装置である。
【０００９】
本発明の構造体は、多数の光学マイクロガイド及び多数の切欠き部を備えており、多数の光学マイクロガイドは、集積面中に存在しており、互いにそばに位置しており、且つ、平行であり、多数の切欠き部は、各上記光学マイクロガイドが現れてくる結合面を有しており、且つ、上記集積面に対して直角に存在している。
【００１０】
本発明の装置は、光ファイバーを備えており、光ファイバーは、それらの端面を上記光学マイクロガイドの上記結合面に光学結合させるように、それらの端部が、それぞれ上記切欠き部内に位置して固定され、且つ、上記構造体の集積面に対して平行に存在している。
【００１１】
本発明によれば、上記切欠き部の上記結合面が、上記集積面に対して直角に存在しており、また、光ファイバーの端部の及び／又は上記光学マイクロガイドの長手方向に対して傾斜しており、更に、並んでいる。
【００１２】
本発明によれば、上記光ファイバーの上記端面が、上記切欠き部の上記結合面に対して平行に存在しており、また、並んでいる。
【００１３】
本発明によれば、光ファイバーの端部の長手方向が、好ましくは、上記光学マイクロガイドの長手方向と、一致している。
【００１４】
本発明によれば、上記光ファイバーが、好ましくは、シートの形で、集まっている。
【００１５】
本発明は、限定されない実施例によって記載され且つ図によって示されている光波伝達装置を検討することにより、より明白に理解される。
図１は本発明の第１の光波伝達装置の平面図である。
図２は図１の装置のII−II長手方向断面図である。
図３は本発明の第２の光波伝達装置の平面図である。
【００１６】
図１及び図２は、集積光学構造体２を備えた光波伝達装置１を示している。該構造体２は、その表面２ａに対して平行に存在する集積面の中に、長手のマイクロガイド３と、長手の凹部又は切欠き部４と、を有している。その凹部又は切欠き部４の中には、光学マイクロガイド３が通っている。
【００１７】
光ファイバー６の端部５が、切欠き部４の中に長手方向に配置されており、例えば、接着によってそこに固定されている。端部５は、切欠き部４の横断端面７と光ファイバー６の端面８とが互いに近接し又は接触するような方法で、また、光ファイバー６の端部５の長手方向が光学マイクロガイド３の長手方向と一致して、光学マイクロガイド３の伝達コア３ａが光ファイバー６の伝達コア６ａと光学結合するような方法で、配置され固定されている。
【００１８】
切欠き部４の横断端面７は、マイクロガイド３にとっての結合面を構成しており、集積構造体２の集積面に対して略直角に存在している。しかも、この結合面７は、集積構造体２の集積面と切欠き部４の結合面７との間の交差線と、集積構造体２の集積面と光学マイクロガイド３の長手方向に対して直角な面との間の交差線とが、傾斜しており、且つ、例えば約８度の角度を成すような方法で、光学マイクロガイド３の長手方向に対して斜めになっている。
【００１９】
同様に、光ファイバー６の端面８は、集積構造体２の集積面と光ファイバー６の端面８との間の交差線と、集積構造体２の集積面と光ファイバー６の端部５の長手方向に対して直角な平面との間の交差線とが、傾斜しており、且つ、例えば約８度の角度を成すような方法で、光ファイバー６の端部５の長手方向に対して傾いている。
【００２０】
切欠き部４は、集積構造体２の表面のどこにでも提供できるような方法で、写真平版及びエッチングによって、都合良く作られる。
【００２１】
図３は、集積光学構造体１０を備えた光波伝達装置９を示している。該構造体１０は、集積面中に形成された多数の集積光学マイクロガイド１１と、多数の長手の切欠き部１２とを、有している。切欠き部１２中には、フラットシート１５を構成するよう共に保持された光ファイバー１４の、長手の端部１３が、取り付けられ、固定されている。例えば、光ファイバー１４は、プラスチック（図示せず）によって共に連結されている。
【００２２】
切欠き部１２の横断端面１６は、光学マイクロガイド１１の結合面を構成している。該横断端面１６と、光ファイバー１４の端面１７とは、図１及び図２に関して記載された実施例におけるように、それぞれ、光学マイクロガイド１１と光ファイバー１４とに対して配置されている。
【００２３】
更に、この実施例においては、結合面１６は、集積光学構造体１０の集積面に対して直角であり且つ光学マイクロガイド１１の方向に対して直角な面に対して傾斜している、同一面内に、存在するような方法で、並んでいる。
【００２４】
同様に、シート１５の光ファイバー１４の端面１７は、このシートの面に対して傾斜している同一面内に存在している。
【００２５】
従って、シート１５の光ファイバー１４は、同時に区分でき、また、それらの傾斜端面１７を形成するよう集団で研磨できる。
【００２６】
本発明は、上述した実施例に限定されるものではない。多くの代替実施形態が添付の請求の範囲に示された範囲から逸脱することなく可能である。
【図面の簡単な説明】
【００２７】
【図１】本発明の第１の光波伝達装置の平面図である。
【図２】図１の装置のII−II長手方向断面図である。
【図３】本発明の第２の光波伝達装置の平面図である。
【国際公開パンフレット】
2004522196.tif 000003
2004522196.tif 000004
2004522196.tif 000005
2004522196.tif 000006
2004522196.tif 000007
2004522196.tif 000008
2004522196.tif 000009
2004522196.tif 000010
2004522196.tif 000011
【国際公開パンフレット（コレクトバージョン）】
2004522196.tif 000012
2004522196.tif 000013
【国際調査報告】
2004522196.tif 000014
2004522196.tif 000015
2004522196.tif 000016
2004522196.tif 000017
2004522196.tif 000018
2004522196.tif 000019